【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
カメラ本体と、
第１の回動部と第２の回動部とを有し、前記第１の回動部で前記カメラ本体に対して回動自在に軸支される支持部と、
前記第２の回動部で前記支持部に対して回動自在に側面が軸支され、ストロボ発光部を有し、第１の位置と第２の位置との間で移動可能なストロボケースと、
前記支持部を第２の位置で係止する第１の係止部と、
前記ストロボケースを第２の位置で係止する第２の係止部とを備え、
前記ストロボケースが略直方体形状であり、前記ストロボケースが第１の位置にあるときに、前記支持部により前記ストロボケースの側面および底面を覆うように構成されるストロボ内蔵カメラ。
【請求項２】
カメラ本体と、
第１の回動部と第２の回動部とを有し、前記第１の回動部で前記カメラ本体に対して回動自在に軸支される支持部と、
前記第２の回動部で前記支持部に対して回動自在に側面が軸支され、ストロボ発光部を有し、第１の位置と第２の位置との間で移動可能なストロボケースと、
前記支持部を第２の位置で係止する第１の係止部と、
前記ストロボケースを第２の位置で係止する第２の係止部とを備え、
前記支持部が２枚の板体を重ね合わせて形成され、
ストロボ発光部とカメラ本体とを電気的に接続する配線部が、前記２枚の板体の間に挟持されるストロボ内蔵カメラ。
【請求項３】
第１の回動部が、ストロボケースが第１の位置にあるときにストロボケースよりも前方となる位置に配設される請求項１または２に記載のストロボ内蔵カメラ。
【請求項４】
支持部およびストロボケースがカメラ本体の上面部に設けられ、ストロボケースが第１の位置にあるときに、支持部およびストロボケースがカメラ本体の上面に載った姿勢となるように配置される請求項１〜３の何れか１項に記載のストロボ内蔵カメラ。
【請求項５】
支持部およびストロボケースがカメラ本体の上面部に設けられ、ストロボケースが第１の位置にあるときに、支持部およびストロボケースがカメラ本体の上面部内に収納された姿勢となるように配置される請求項１〜３の何れか１項に記載のストロボ内蔵カメラ。
【請求項６】
支持部をカメラ本体に対して第２の位置に付勢する第１の弾性部材と、
ストロボケースを前記支持部に対して第２の位置に付勢する第２の弾性部材と、
前記ストロボケースを第１の位置で係止する第３の係止部とを備える請求項１〜５の何れかに記載のストロボ内蔵カメラ。
【請求項７】
支持部と一体となし、ストロボケースが第１の位置にあるときにストロボ発光部をカバーするカバー部を備える請求項１〜４、６の何れか１項に記載のストロボ内蔵カメラ。
【請求項８】
支持部だけを第１の位置に係止する第４の係止部を備える請求項６に記載のストロボ内蔵カメラ。
【請求項９】
カメラ本体に取り付けられたポップアップ用操作部材またはこれに連動する部材に、第３の係止部と第４の係止部とが設けられ、ストロボケースが第１の位置にあるときに前記ポップアップ用操作部材を操作することで、ストロボケースおよび支持部が第２の位置に移動する動作と、ストロボケースだけが第１の位置から第２の位置に移動する動作とを、区別して行わせることが可能に構成した請求項８に記載のストロボ内蔵カメラ。
【請求項１０】
ストロボケースの第２の位置から第１の位置への移動時にカメラ本体に対する支持部の所定回動範囲において、ストロボケースの支持部に対する第１の位置側への回動を規制する規制手段を設けた請求項１〜３、５、６、８または９の何れか１項に記載のストロボ内蔵カメラ。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】変更
【補正の内容】
【００２０】
これらの目的を達成するために本発明のストロボ内蔵カメラは、カメラ本体と、第１の回動部と第２の回動部とを有し、前記第１の回動部で前記カメラ本体に対して回動自在に軸支される支持部と、前記第２の回動部で前記支持部に対して回動自在に側面が軸支され、ストロボ発光部を有し、第１の位置と第２の位置との間で移動可能なストロボケースと、前記支持部を第２の位置で係止する第１の係止部と、前記ストロボケースを第２の位置で係止する第２の係止部とを備え、前記ストロボケースが略直方体形状であり、前記ストロボケースが第１の位置にあるときに、前記支持部により前記ストロボケースの側面および底面を覆うように構成されるものである。
【手続補正４】
【補正対象書類名】明細書
【補正対象項目名】００２１
【補正方法】変更
【補正の内容】
【００２１】
この構成によって、カメラ本体に取り付けられるストロボケースが第１の位置と第２の位置との間で移動可能なポップアップ機構を有しつつ、第１の位置において、ストロボケースと支持部とがコンパクトに格納できてカメラ全体の小型化を図ることができる。
【手続補正５】
【補正対象書類名】明細書
【補正対象項目名】００２２
【補正方法】変更
【補正の内容】
【００２２】
以上のように本発明によれば、カメラ本体に取り付けられるストロボケースが第１の位置と第２の位置との間で移動可能なポップアップ機構を有しつつ、カメラ全体の小型化を図ることができるという優れた効果が得られる。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
本発明の請求項１に記載のストロボ内蔵カメラは、カメラ本体と、第１の回動部と第２の回動部とを有し、前記第１の回動部で前記カメラ本体に対して回動自在に軸支される支持部と、前記第２の回動部で前記支持部に対して回動自在に側面が軸支され、ストロボ発光部を有し、第１の位置と第２の位置との間で移動可能なストロボケースと、前記支持部を第２の位置で係止する第１の係止部と、前記ストロボケースを第２の位置で係止する第２の係止部とを備え、ストロボケースが略直方体形状であり、ストロボケースが第１の位置にあるときに、支持部によりストロボケースの側面および底面を覆うように構成されるものであり、ストロボケースが第１の位置にあるときに、支持部がストロボケースの側面および底面を覆うように配置されるので、支持部とストロボケースとを互いに沿わせた姿勢で極めて小さいスペースに効率よくコンパクトに格納することができるという作用を有する。
【手続補正８】
【補正対象書類名】明細書
【補正対象項目名】００２５
【補正方法】変更
【補正の内容】
【００２５】
請求項２に記載の発明は、カメラ本体と、第１の回動部と第２の回動部とを有し、前記第１の回動部で前記カメラ本体に対して回動自在に軸支される支持部と、前記第２の回動部で前記支持部に対して回動自在に側面が軸支され、ストロボ発光部を有し、第１の位置と第２の位置との間で移動可能なストロボケースと、前記支持部を第２の位置で係止する第１の係止部と、前記ストロボケースを第２の位置で係止する第２の係止部とを備え、支持部が２枚の板体を重ね合わせて形成され、ストロボ発光部とカメラ本体とを電気的に接続する配線部が、前記２枚の板体の間に挟持されるものであり、これにより、ストロボケースが第２の位置にある場合でも配線部を露出させることがないため、配線部が他の部材に接触することによる損傷を防止できるという作用を有する。
【手続補正９】
【補正対象書類名】明細書
【補正対象項目名】００２６
【補正方法】変更
【補正の内容】
【００２６】
請求項３に記載の発明は、請求項１または２に記載のストロボ内蔵カメラであって、第１の回動部が、ストロボケースが第１の位置にあるときにストロボケースよりも前方となる位置に配設されるものであり、支持部を軸支するのに用いられる部分をストロボケースの下方に設けなくても済んで、この分だけストロボ内蔵カメラを小型化することができるという作用を有する。
【手続補正１０】
【補正対象書類名】明細書
【補正対象項目名】００２７
【補正方法】変更
【補正の内容】
【００２７】
請求項４に記載の発明は、請求項１〜３の何れかに記載のストロボ内蔵カメラであって、支持部およびストロボケースがカメラ本体の上面部に設けられ、ストロボケースが第１の位置にあるときに、支持部およびストロボケースがカメラ本体の上面に載った姿勢となるように配置されるものであり、支持部およびストロボケースの移動の基準をカメラ本体の上面にすることにより、第２の位置でのストロボケースの位置をカメラ本体からの距離を長くすることができるという作用を有する。
【手続補正１１】
【補正対象書類名】明細書
【補正対象項目名】００２８
【補正方法】変更
【補正の内容】
【００２８】
請求項５に記載の発明は、請求項１〜３の何れかに記載のストロボ内蔵カメラであって、支持部およびストロボケースがカメラ本体の上面部に設けられ、ストロボケースが第１の位置にあるときに、支持部およびストロボケースがカメラ本体の上面部内に収納された姿勢となるように配置されるものである。
【手続補正１２】
【補正対象書類名】明細書
【補正対象項目名】００２９
【補正方法】変更
【補正の内容】
【００２９】
請求項６に記載の発明は、請求項１〜５の何れかに記載のストロボ内蔵カメラであって、支持部をカメラ本体に対して第２の位置に付勢する第１の弾性部材と、ストロボケースを前記支持部に対して第２の位置に付勢する第２の弾性部材と、前記ストロボケースを第１の位置で係止する第３の係止部とを備えるものであり、第３の係止部によりストロボケースを第１の位置に係止しておくことができるとともに、第３の係止部による係止を外すことによりストロボケースが第１の位置から第２の位置に移動するという作用を有する。
【手続補正１３】
【補正対象書類名】明細書
【補正対象項目名】００３０
【補正方法】変更
【補正の内容】
【００３０】
請求項７に記載の発明は、請求項１〜４、６の何れかに記載のストロボ内蔵カメラであって、支持部と一体となし、ストロボケースが第１の位置にあるときにストロボ発光部をカバーするカバー部を備えるものであり、ストロボを使用しないときのカバーとしても支持部を兼用できる。また、カバー部が支持部と一体であるので、支持部がカメラ本体に対して移動する場合でも、ストロボケースとカバー部とは第２の回動部を中心として回動する位置関係は不変であり、ストロボケースとカバー部とが接触して損傷することなどを容易に防止することができるという作用を有する。
【手続補正１４】
【補正対象書類名】明細書
【補正対象項目名】００３１
【補正方法】変更
【補正の内容】
【００３１】
請求項８に記載の発明は、請求項６に記載のストロボ内蔵カメラであって、支持部だけを第１の位置に係止する第４の係止部を備えるものであり、第４の係止部により支持部を第１の位置に係止した状態で、第３の係止部による係止を外すことにより、支持部を第１の位置に保持した状態で、ストロボケースだけを第１の位置から第２の位置に移動させることができるという作用を有する。
【手続補正１５】
【補正対象書類名】明細書
【補正対象項目名】００３２
【補正方法】変更
【補正の内容】
【００３２】
請求項９に記載の発明は、請求項８に記載のストロボ内蔵カメラであって、カメラ本体に取り付けられたポップアップ用操作部材またはこれに連動する部材に、第３の係止部と第４の係止部とが設けられ、ストロボケースが第１の位置にあるときに前記ポップアップ用操作部材を操作することで、ストロボケースおよび支持部が第２の位置に移動する動作と、ストロボケースだけが第１の位置から第２の位置に移動する動作とを、区別して行わせることが可能に構成したものであり、１つのポップアップ用操作部材を操作するだけで、ストロボケースの移動動作を区別して行わせることができて、利便性が向上する。
【手続補正１６】
【補正対象書類名】明細書
【補正対象項目名】００３３
【補正方法】変更
【補正の内容】
【００３３】
請求項１０に記載の発明は、請求項１〜３、５、６、８または９の何れかに記載のストロボ内蔵カメラであって、ストロボケースの第２の位置から第１の位置への移動時にカメラ本体に対する支持部の所定回動範囲において、ストロボケースの支持部に対する第１の位置側への回動を規制する規制手段を設けたものであり、カメラ本体におけるストロボケースの格納位置前方にカバー部をカメラ本体側に固定して設けた場合でも、ストロボケースの第２の位置から第１の位置への移動時に、前記カバー部にストロボケースが接触して損傷することを防止できるという作用を有する。